(57)【要約】      （修正有）【課題】装飾効果を向上し、より実用的で安全性の高いドライヤーの提供。【解決手段】主にドライヤー殼体１０前端に耐熱性の導光材料から成る防護ネット１２を設置し、該防護ネットの円心にLEDランプ座体１２aを設け、さまざまな色に変化する可変光LEDを該LEDランプ座体に設置し、該可変光LEDと電源回路が相互に接続され、異なる風量や温度で使用する際、該可変光LEDが異なる色で発光し、導光材料によりLEDの色がドライヤー前端の透明吹出口に拡散され、さらに、ドライヤー内部に消毒用の負イオン発生装置２４を設置し、該負イオン発生装置はその使用時において無色無香であるため、可変光LEDを接続して該負イオン発生装置のスイッチが入っているかどうかを識別すると共に、殼体の形状をアヒルの頭部や飛行機の機首などの形に製造する。【選択図】図２
0003109475.tif 000002
【実用新案登録請求の範囲】
【請求項１】
主に殼体、ハンドル、防護ネット、多段式スイッチ、ファン、電熱装置及び高温保護回路等から構成され、そのうち、該殼体の前端に耐熱性の透明導光材料から成る該防護ネットが設置され、該防護ネットの円心にLEDランプ座体が設置され、該ＬＥＤランプ座体にさまざまな色に発光する可変光LEDが設けられ、該可変光LEDとスイッチ回路が相互に接続されると共に、スイッチの異なるレベルに合わせて可変光ＬＥＤの色が設定され、該防護ネットを通して光線が発出されることを特徴としたドライヤー。
【請求項２】
前記ハンドルが殼体後端下方に設置され、固定式または折り畳み式とし、且つ、滑り止めゴムを設置して使用時の滑落を防ぐ請求項１に記載のドライヤー。
【請求項３】
ドライヤー内部の前記ファンの前方にさらに負イオン発生装置が設置され、スイッチ回路及び可変光LEDと相互に接続された請求項１に記載のドライヤー。  
【請求項４】
前記殼体をアヒルの頭部の形状に設け、目またはくちばしの部位を透明導光材料で製作し、且つ、該２つの部位の内部にLEDランプ座体を設置し、可変光LEDの光線が目またはくちばしの導光材料を介して発せられ、識別に用いられる請求項１に記載のドライヤー。
【請求項５】
前記殼体を飛行機のコクピットを含む機首の形状に設け、該コクピット部分を透明の殼体に製作し、LEDランプ座体を設置するか、或いは直接透明導光材料で可変光LEDの光線を導出させ識別に用いる請求項１に記載のドライヤー。  
【考案の詳細な説明】
【技術分野】
【０００１】
本考案はドライヤーに関し、特に、冷風及び熱風を吹きつけ物体表面を乾燥させることができ、殼体上にLED発光装置を備え、使用時の風量または温度を識別することが可能なドライヤーに関する。
【背景技術】
【０００２】
図１に示すように、従来のドライヤーは、殼体a、ハンドルb、防護ネットc、ファンd、電熱装置e及び多段式スイッチf等から構成され、そのスイッチはほとんどがハンドル上bに設置されており、使用時にスイッチを入れ通電した後、多段式スイッチfで電熱装置eの温度と風量の大小を制御するものであり、特に温度の高低や風量の大小を識別する機能は備えておらず、幼児が使用する場合危険が発生しやすいため、改良が必要である。
【考案の開示】
【考案が解決しようとする課題】
【０００３】
本考案は、上述のような従来のドライヤーの欠点に鑑みて、考案者が該項事業における長年の経験に基づき研究を重ね、斬新なドライヤーの改良設計を提供するものである。
【０００４】
本考案の主な目的は、装飾効果を向上し、且つ、より実用的で安全性の高いドライヤーを提供することにある。
【課題を解決するための手段】
【０００５】
上述の目的を達するため、本考案のドライヤーは、主にドライヤー殼体前端に耐熱性の導光材料から成る防護ネットを設置し、該防護ネットの円心にLEDランプ座体を設け、さまざまな色に変化する可変光LEDを該LEDランプ座体に設置し、該可変光LEDと電源回路が相互に接続され、異なる風量や温度で使用する際、該可変光LEDが異なる色で発光し、導光材料によりLEDの色がドライヤー前端の透明吹出口に拡散され、さらに、ドライヤー内部に消毒用の負イオン発生装置を設置し、該負イオン発生装置はその使用時において無色無香であるため、可変光LEDを接続して該負イオン発生装置のスイッチが入っているかどうかを識別すると共に、殼体の形状をアヒルの頭部や飛行機の機首などの形に製造することを特徴とする。
【考案の効果】
【０００６】
上述の構造により、可変光LEDの設置と殼体の形状の変化が装飾効果を増進し、且つ、実用性と安全性が向上され、負イオン発生装置を設けることで、ドライヤーの機能性も向上される。    
【考案を実施するための最良の形態】
【０００７】
本考案の構造、装置及びその特徴について、以下、最良の実施例と図面に基づき、詳細に説明する。
【実施例１】
【０００８】
図２に示すように、本考案のドライヤーは、主に殼体１０、ハンドル１１、防護ネット１２、多段式スイッチ２０、ファン２１、電熱装置２２及び高温保護回路２３等から構成され、ドライヤーの該殼体１０の前端に該防護ネット１２が設置され、該防護ネット１２は耐熱性の透明導光材料から成り、物体の進入を防ぐことができ、さらに、該防護ネット１２の円心にLEDランプ座体１２ａが設置され、さまざまな色の光を発することができる可変光LED１２bが該LEDランプ座体１２ａに設置され、該可変光LED１２bとスイッチ回路を相互に接続し、スイッチの異なるレベルに合わせて該可変光ＬＥＤ１２bの色を設定し、該多段式スイッチ２０を調節するとファン２１及び電熱装置２２が異なる風量及び温度に調節され、ＬＥＤから異なる色の光が発せられ、透明導光材料により光の色がドライヤー前端の透明吹出口に拡散され、識別の目的を達することができると共に、装飾効果が向上される。また、温度が高すぎる場合、高温保護回路２３が自動的に起動してドライヤーの電源を切り、ドライヤーの焼き付きを防止する。ハンドル１１は殼体１０の後端下方に設置され、固定式または折り畳み式とすることができ、さらに滑り止めゴム１１aを設置し、使用時に手から滑り落ちるのを防ぐ。また、ドライヤー内部に負イオン発生装置２４を消毒用に設置してもよく、該負イオン発生装置２４はファン２１の前方に設置され、スイッチ回路と相互に接続され、その使用時には無色無香であるため、さらに可変光LED１２bと接続し、負イオン発生装置２４のスイッチが入っているかどうかを識別する。
【実施例２】
【０００９】
図３に本考案の実施例２を示す。殼体をアヒルの頭部の形状に製造し、目またはくちばしの部位を透明導光材料で製作し、且つ、該２つの部位内部にLEDランプ座体を設け、可変光LED１２bの光線が目またはくちばしの導光材料を経て発光され、識別に用いることができる。
【実施例３】
【００１０】
さらに、図４に本考案の実施例３を示す。殼体を飛行機のコックピットを含む機首の形状に製造し、該コックピットを透明の殼体に製作し、LEDランプ座体１２aを設置するか、直接透明導光材料で可変光LED１２bの光線を導出させ、識別に用いることができる。
【００１１】
上述のように、本考案のドライヤーは、可変光LED及び透明の導光材料を用い、さらに殼体を多様に変化させることで、確実に装飾効果が増進され、且つ、実用性及び安全性が向上され、実用性と進歩性を兼ね備えており、特許法に基づき、ここに実用新案登録の出願をするものである。
【図面の簡単な説明】
【００１２】
【図１】従来のドライヤーの平面透視図である。
【図２】本考案のドライヤーの立体分解図である。
【図３】本考案のドライヤーの実施例２を示す立体分解図である。
【図４】本考案のドライヤーの実施例３を示す立体分解図である。
【符号の説明】
【００１３】
１０        殼体
１１        ハンドル
１１a      滑り止めゴム
１２        防護ネット
１２a      LEDランプ座体
１２b      可変光LED
２０        多段式スイッチ
２１        ファン
２２        電熱装置
２３        高温保護回路
２４        負イオン発生装置
【図１】
0003109475.tif 000003
【図２】
0003109475.tif 000004
【図３】
0003109475.tif 000005
【図４】
0003109475.tif 000006